(57)【要約】【課題】  契約を必要とせず、単純明朗な料金システムで公衆無線ＬＡＮのアクセスポイントを随時利用可能とする。【解決手段】  常閉式コインロッカーを利用する。ロッカー番号または利用種別を指定する指定スイッチ１、コインカウンタ１２、コインカウンタからのＯＫ信号に基づいてレシート紙片５を発行するレシート発行装置２０とを備えるロッカーに通信ターミナル装置１０を配し、公衆無線ＬＡＮのゲートとして利用するためのターミナル制御装置を設ける。ターミナル制御装置は、レシート紙片の識別データを無線信号として発生させる端末機器６に対して、利用を許可するゲートコントローラ装置５１と、利用時間を、レシート紙片の識別データに含まれる利用可能時間に基づいて個別に制御するゲートタイマ装置５２とを備える。【選択図】    図２
0003113263.tif 000002
【実用新案登録請求の範囲】
【請求項１】
ロッカー番号または利用種別を指定する指定スイッチと、金銭投入額を計数するコインカウンタと、コインカウンタからのＯＫ信号に基づいてレシート紙片を発行するレシート発行装置とを備える常閉式コインロッカーであって、
前記コインカウンタの金銭投入額データを、公衆回線を介して集計可能とするための通信ターミナル装置を配するとともに、
当該通信ターミナル装置を公衆無線ＬＡＮのゲートとして利用するためのターミナル制御装置を設け、
このターミナル制御装置は、
前記指定スイッチを介して公衆無線ＬＡＮの利用が選択されたときに、レシート紙片に記入された識別データを無線信号として発生させる外部の端末機器に対して通信ターミナル装置の利用を許可するゲートコントローラ装置と、
このゲートコントローラ装置の利用時間を、レシート紙片に記入された識別データに含まれる利用可能時間に基づいて個別に制御するゲートタイマ装置とを備えることを特徴とする常閉式コインロッカー。
【請求項２】
ターミナル制御装置は、外部の端末機器から発生される公衆無線ＬＡＮサービスの検索電波に対応する無線データ信号を常時発生する検索対応装置を備えることを特徴とする請求項１記載の常閉式コインロッカー。
【考案の詳細な説明】
【技術分野】
【０００１】
本考案は、アクセスポイント機能をもった常閉式のコインロッカーに係り、とくに、レシート発行機能を利用してコインロッカー設備の利益率を確実に向上させるための通信サービスの提供技術に関する。
【背景技術】
【０００２】
外出先で高速なインターネット接続環境が必要になったときに、近時は公衆無線ＬＡＮサービスを利用できるようになった。公衆無線ＬＡＮサービスは、鉄道や地下鉄の駅構内あるいは地下街など、狭いエリアに多くの人が集まる場所に設置したアクセスポイント（通信ターミナル装置）を介してインターネット網に接続させる通信サービスである。ノートパソコンやＰＤＡ（携帯情報端末）が無線ＬＡＮ機能を備えていれば，例えば数Mビット／秒の実効通信速度でインターネットに接続することができる。通信ターミナル装置は光通信ケーブルを利用するなど、同時に多数のゲート利用があっても通信速度に影響がでないよう配慮される。
【０００３】
このような公衆無線ＬＡＮサービスの提供は、多額の設備投資を必要とするわけではないため、資本力の多寡を問わず市場へ参入することが出来る。
【０００４】
従来、コインロッカーを用いて公衆無線ＬＡＮサービスを提供する技術的な提案は発見できない。
【０００５】
しかしながら、下記特開２００３−０２２４７６号公報記載の発明には、コインロッカー内にインターネット網に接続できる通信ターミナル装置を配しておくことが記載され、利用者が、携帯電話を使ってドアの開閉が出来るようにすることや、利用料金の決済を、携帯電話の決済機能を使って済ませることなどが述べられている。
【特許文献１】特開２００３−０２２４７６号
【考案の開示】
【考案が解決しようとする課題】
【０００６】
問題は、次の通りである。公衆無線ＬＡＮサービスの提供業者側から云えば、投入する資金と利益の回収率とのバランスを図ることが必要となり、利用者側から云えば、インターネット接続をしたいと思う場所に公衆無線ＬＡＮサービスのアクセスポイントがあるかどうか、利用料金および支払の手軽さの程度はどうかである。
【０００７】
公衆無線ＬＡＮサービスは、狭いエリアに多くの人が集まるような場所に通信ターミナル装置を設置すれば比較的簡単に実現できる。しかしながら、利用料金の決済を行うためのシステムの構築は必ずしも簡単ではない。従来は、ユーザとの間で個別の利用契約が必要であった。
【０００８】
前記特許文献１は、携帯電話の決済機能を利用する旨が述べられているが、携帯電話は直接インターネット網に接続が出来るため、もともと公衆無線ＬＡＮサービスを利用する機会がなかった。また個人情報の流出問題もあり、ユーザが携帯電話の決済機能を使う状況はあまり期待できない。
【０００９】
公衆無線ＬＡＮサービスを利用するユーザは、サービス業者との間で個別に利用契約を結んだ者であって、いわゆるノートパソコンやＰＤＡ等の携帯端末機器の利用者である。携帯電話の利用者は、使用エリアが限定される公衆無線ＬＡＮを使うよりも、広いエリアでどこでも通信データを送受信できるダイヤルアップの通信接続を行う。このため、現在のところは、携帯電話やＰＨＳ（登録商標）の利用者が、公衆無線ＬＡＮの利用をするケースは殆どみられない。
【００１０】
ところで利用者側からすれば、利用料金が安いかどうか、料金支払いに関する手軽さや信頼性はどうかなど、公衆無線ＬＡＮの利用に関しては心理的に躊躇する要因が少なくない。簡単明瞭な利用環境が整っていないのが実状である。ノートパソコンやＰＤＡのような携帯端末機器は、携帯電話等のようにそれ自体としては公衆回線上のサーバ装置に直接アクセスできないため、公衆無線ＬＡＮ等のアクセスポイントを経由したデータ交換を行う必要がある。
【００１１】
そして利用の大きな問題は、アクセスポイントを利用するときの契約の煩雑である。現在は、公衆無線ＬＡＮのアクセスポイントを利用するときには、当該アクセスポイントを設置している業者との間に個別の契約が必要であり、料金体系も契約によって異なる。利用したいけれども契約上の問題が煩雑なため利用をためらうケースも少なくない。
【００１２】
そこで、本考案の目的は、契約を必要とせず、単純明朗な料金システムで公衆無線ＬＡＮのアクセスポイントを随時利用可能とする点にある。
【課題を解決するための手段】
【００１３】
前記目的を達成するため、本考案（請求項１）は、常閉式コインロッカーを利用して公衆無線ＬＡＮのサービスを行う。常閉式コインロッカーは、従来の常開式コインロッカーと異なり、荷物の出し入れ以外は常にロッカードアを閉めておく。防犯上の理由から物理的なキーを使用せず、利用者にはバーコードまたは／および識別番号を印刷したレシート紙片を発行し、このレシート紙片に印刷されたバーコードを読みることで、荷物を取り出すときのドアの開制御を行う。
【００１４】
本考案（請求項１）は、このレシート紙片に印字されたバーコードまたは／および識別番号を利用して、ロッカーの利用以外のサービスである公衆無線ＬＡＮのアクセスポイント利用のサービスを行う。
【００１５】
考案の構成は、ロッカー番号または利用種別を指定する指定スイッチと、金銭投入額を計数するコインカウンタと、コインカウンタからのＯＫ信号に基づいてレシート紙片を発行するレシート発行装置とを備える常閉式コインロッカーであって、
前記コインカウンタの金銭投入額データを、公衆回線を介して集計可能とするための通信ターミナル装置を配するとともに、
当該通信ターミナル装置を公衆無線ＬＡＮのゲートとして利用するためのターミナル制御装置を設け、
このターミナル制御装置は、
前記指定スイッチを介して公衆無線ＬＡＮの利用が選択されたときに、レシート紙片に記入された識別データを無線信号として発生させる外部の端末機器に対して、通信ターミナル装置の利用を許可するゲートコントローラ装置と、
このゲートコントローラ装置の利用時間を、レシート紙片に記入された識別データに含まれる利用可能時間に基づいて個別に制御するゲートタイマ装置とを備える。
【００１６】
公衆無線ＬＡＮの利用者は、指定スイッチを押して公衆無線ＬＡＮの利用を選択し、コインロッカーの利用者と同じように、コインを投入する。投入金額が適正であれば、レシート発行装置からレシート紙片が発行される。
【００１７】
利用者は、ノートパソコンやＰＤＡの撮像レンズを介してレシート紙片に記入されているバーコードを読みとらせるか、或いはシート紙片に記入されている識別番号をテンキー入力する。コインロッカーの通信ターミナル装置は、当該バーコードまたは識別番号に基づく利用を許可するので、利用者は、コインロッカーの通信ターミナル装置から送られる案内表示に基づいてインターネット接続を行えばよい。
【００１８】
レシート紙片に基づいて随時インターネット接続が可能である。サービス利用の契約は不要である。レシート紙片を受け取るには、コインロッカーの利用と同じように、コインを投入するだけでよいから、手間も少なく、個人情報の漏洩の危険性もない。
【００１９】
請求項２は、ターミナル制御装置は、利用者の端末機器から発生される公衆無線ＬＡＮサービスの検索電波に対応する無線データ信号を常時発生する検索対応装置を備えるとするものである。検索対応装置を設けることによって、実際の利用者ではない潜在的ユーザに対しても各種のデータ提供のサービスを行うことが可能である。例えば、駅構内の案内、観光案内、企業コマーシャル等である。
【考案の効果】
【００２０】
本考案に係る常閉式コインロッカーによれば、コインロッカーの利用と同様に、コインを投入するだけでインターネットへの通信接続が可能となるため、契約の煩しさや個人情報の漏洩を懸念することなく、誰でも手軽に通信サービスを利用することが可能となる。レシート紙片を発行する常閉式コインロッカーを利用するため、サービス提供のための資金も抑えることができる。
【考案を実施するための最良の形態】
【００２１】
常閉式コインロッカーは、例えば、図１に示すような外観をもつ。本考案に係る通信ターミナル装置１０を適用する常閉式コインロッカーは、レシート紙片の発行など従来のコインロッカーに見られない特徴をもつため、まず全体の構成を説明する。
【００２２】
本考案に係る常閉式コインロッカーは、ロッカーの利用を希望する者が、ロッカーの適宜箇所（例えば中央部）に配したコントロールパネルを利用するものであり、利用の際には、番号指定スイッチ１を押して空いているロッカー番号を指定し、コイン投入口２から所定の利用金額を投入する。公衆無線ＬＡＮを利用する者は、番号指定スイッチ１を押して、利用種別の公衆無線ＬＡＮを指定し、コイン投入口２から利用金額を投入する。
【００２３】
後に述べる内部装置が利用金額の投入を確認すると、レシート発行口４からレシート紙片５がプリントアウトされ、レシート紙片５を引き抜くと、ロッカー利用の場合は指定したロッカーのドア３が開く。公衆無線ＬＡＮを利用する場合は、レシート紙片５を引き抜いて、このレシート紙片５のバーコードを携帯端末機器（例えばノートパソコン）６に読みとらせる。これによって、通信ターミナル装置１０を介してインターネット網に通信接続することができる。なお、携帯端末機器６がバーコードを読みとれる撮像カメラを搭載していない場合は、キーボードやテンキーを使ってレシート紙片５に記入されている識別番号を打ち込めばよい。
【００２４】
ドア３の開閉制御は、例えば電磁ソレノイド等のアクチュエータ（図示せず）を利用することができる。ロッカー利用の場合は、ドア３が開いた後、当該ロッカーに荷物を入れ、ドア３を閉じて、確認ボタン７を押せば、アクチュエータが作動してドア３をロックする。なお、ロッカー利用者が荷物を取り出すときは、ロッカーに設けたバーコードリーダ８にレシート紙片５を読みとらせればドア３が開く。９は、コインの返却口である。
【００２５】
通信ターミナル装置１０は、コイン投入口２から入れられた金銭投入額のデータを、公衆回線を介して遠隔地において集計可能とするための機能を備える。本考案では、通信ターミナル装置１０は、同時多数の回線利用を行えるよう、例えば光通信の回線を使用する。通信ターミナル装置１０の設置場所は、必ずしもロッカーの上に限定されないが、公衆無線ＬＡＮの利用者のため、少なくとも電波の送受信に支障が生じない箇所であってロッカーに近い場所に設置する。無線電波の到達距離を、ロッカーを中心とした範囲で想定できるようにするためである。
【００２６】
本考案に係る公衆無線ＬＡＮのアクセスポイントサービスは、レシート紙片５の利用を必須とするので、以下、図２に基づいて、レシート発行装置の機能を中心として説明する。ロッカー利用と公衆無線ＬＡＮの利用を兼用するため、本考案に係る常閉式コインロッカーは、ロッカー番号または利用種別を入力するための指定スイッチ１を備えるが、この指定スイッチ１は、タッチパネル式のものでもボタンスイッチ式のものでもよい。
【００２７】
１２は、投入されたコインの金額をカウントするコインカウンタ、２０は、レシート紙片５を発行するレシート発行装置、３１は、電磁ソレノイド等のドア開閉アクチュエータ、３２は、このドア開閉アクチュエータ３１を駆動するアクチュエータ制御部である。コインカウンタ１２は、利用金額を確認したときに後段へＯＫ信号（利用を許可する信号）を送出する。
【００２８】
５１は、レシート紙片５を受け取った利用者の携帯端末機器６に対して通信ターミナル装置１０の利用を一定時間許可するゲートコントローラ装置、５２は、通信ターミナル装置１０の利用時間を投入金額に応じて制御するゲートタイマ装置である。
【００２９】
レシート発行装置２０は、レシート紙片５用のペーパーロール２２と、レシート紙片５にバーコードや識別番号の印字を行うための印字装置２３と、カッター装置２５とを備える。印字装置２３は、コインカウンタ１２からのＯＫ信号に基づき、印字装置駆動部２４を介して駆動する。また、カッター駆動部２６は、例えば印字装置駆動部２４からのタイミング信号に基づいてカッター装置２５の作動タイミングをコントロールする。
【００３０】
印字装置２３の印字内容は、指定スイッチ１を介して入力されたロッカー番号または利用種別のデータと、当該利用に対するバーコード（または識別番号）の作成等を行う識別データ処理部２７から送られたデータである。利用可能時間のデータも、例えばこの識別データ処理部２７を介して記録することができる。その場合、識別データ処理部２７はタイマ装置を搭載することが望ましい。公衆無線ＬＡＮの利用時間の制御は、ゲートタイマ装置５２を介して行うが、このゲートタイマ装置５２は、利用のオフ制御を主たる機能とするのに対し、識別データ処理部２７に配するタイマ装置は、ロッカーのドア３の開閉制御のためのもので、利用時間の延長の時には追加料金の要求表示を行う等の機能を営む。もちろん、ゲートタイマ装置５２と識別データ処理部２７に内蔵させるタイマ装置は同一のタイマ装置を用いて構成しても構わない。
【００３１】
本考案は、レシート発行装置２０におけるレシート紙片５の抜き取り確認ができてから、公衆無線ＬＡＮの利用を許可し、あるいはドア開閉アクチュエータ３１を駆動する。このため、レシート紙片５の抜き取りを確認する光学センサ４０をレシート発行装置２０の内部に配する。
【００３２】
光学センサ４０は、例えば、発光素子４１と、レシート紙片５が引き抜かれたときに当該発光素子４１の光を入力として、後段へ受光信号（確認信号）を送出する受光素子４２とによって構成する。発光素子４１と受光素子４２の位置関係は問わないが、省スペース化のため両者を略垂直方向に配することが望ましい。光学センサ４０は、レシート紙片５が抜き取られたか否かを確認する手段であるから、カッター装置２５の下流に配する。２８は、レシート紙片５の排出開口である。光学センサ４０は、カッター装置２５と排出開口２８の間に設ける。
【００３３】
このような構成において、携帯端末機器６に対して通信ターミナル装置１０の利用を許可するゲートコントローラ装置５１は、レシート紙片５が引き抜かれたときに確認信号を送出する受光素子４２からの信号と、識別データ処理部２７において作成された識別データ（バーコードおよび／または識別番号等）とに基づいて、有効な識別データを発する携帯端末機器６に通信ゲートを開く。利用者は通信ゲートが開いている間は自由にインターネット接続環境を利用できる。投入金額に応じて利用できる時間はまちまちであるが、ゲートタイマ装置５２が特定のゲート（ポート）の利用をオフ制御することで利用時間を制限する。
【００３４】
従って、かかる常閉式コインロッカーによれば、レシート紙片５が抜き取られたことを光学センサ４０により確認できたときに、公衆無線ＬＡＮの利用を許可し、あるいはドア開閉アクチュエータ３１を介してロッカーのドア（３）を開くことができる。公衆無線ＬＡＮの利用とロッカーの利用という、異なる利用種別を、レシート紙片５によって統一的に簡単に利用可能としたものである。
【００３５】
この結果、公衆無線ＬＡＮの利用者もロッカー利用者と同様にコインを投入するだけで随時通信サービスを受けることが可能となり、契約の煩わしさや契約に基づく個人情報の漏洩等の問題を解消することができる。コインロッカーはＪＲ駅や地下鉄駅など集客力の高い場所に設置されるため、利用者確保の点でも優れる。
【図面の簡単な説明】
【００３６】
【図１】本考案に係る常閉式コインロッカーの外観を例示する図である。
【図２】本考案に係るレシート発行装置まわりの構成を例示する図である。
【符号の説明】
【００３７】
１  番号指定スイッチ
２  コイン投入口
３  ロッカーのドア
４  レシート発行口
５  レシート紙片
６  携帯端末機器
７  確認ボタン
８  バーコードリーダ
９  コインの返却口
１０  通信ターミナル装置
１２  コインカウンタ
２０  レシート発行装置
２２  ペーパーロール
２３  印字装置
２４  印字装置駆動部
２５  カッター装置
２６  カッター駆動部
２７  識別データ処理部
２８  排出開口
３１  ドア開閉アクチュエータ
３２  アクチュエータ制御部
４０  光学センサ
４１  発光素子
４２  受光素子
５１  ゲートコントローラ装置（ターミナル制御装置）
５２  ゲートタイマ装置（ターミナル制御装置）
【図１】
0003113263.tif 000003
【図２】
0003113263.tif 000004